(57)【要約】【課題】  被検体の体液や組織の成分、濃度、あるいは物性の変化に関連した光学的な情報を精度良く測定して、正確な被検体の組織性状の定量分析、あるいは定性分析を行うことができる生体情報計測装置を提供する。【解決手段】  被検体Ｐに光を照射し、被検体Ｐ内を拡散、透過、若しくは反射した光を受光する照射・受光部１３を備え、被検体Ｐに関する生体情報を非侵襲的に計測する生体情報計測装置１０において、被検体Ｐに接触する照射・受光部１３の面に前記光を所定の角度に屈折させて透過させるカップリング材１３２を設け、このカップリング材１３２を介して前記光を透過させる。【選択図】  図１
2006198041.tif 000002
【特許請求の範囲】
【請求項１】
被検体に光を照射する照射手段と、前記被検体内を拡散、透過、若しくは反射した光を受光する受光手段とを備え、前記被検体に関する生体情報を非侵襲的に計測する生体情報計測装置において、
前記被検体に接触させる前記照射手段及び前記受光手段の面には、前記光を所定の角度に屈折させて透過させるカップリング材が設けられていることを特徴とする生体情報計測装置。
【請求項２】
前記カップリング材は、薄膜状に形成されていることを特徴とする請求項1に記載の生体情報計測装置。
【請求項３】
前記カップリング材は、ホルダーにより前記光照射手段及び前記受光手段の面に接触して保持されていることを特徴とする請求項１または請求項２のいずれかに記載の生体情報計測装置。
【請求項４】
前記生体情報は、前記被検体の体液中に含まれるグルコース濃度であって、前記グルコースの定量にあたって、少なくとも４００〜２５００ｎｍの領域から選択された波長の光を用いることを特徴とする請求項１に記載の生体情報計測装置。
【請求項５】
前記生体情報は、前記被検体の血液中に含まれるヘモグロビン濃度であって、前記ヘモグロビンの定量にあたって、少なくとも５００〜１６００ｎｍの領域から選択された波長の光を用いることを特徴とする請求項１に記載の生体情報計測装置。
【請求項６】
少なくとも４００〜２５００ｎｍの波長領域における光の屈折率が１．３８〜１．５０の範囲からなる材料で薄膜状に形成されていることを特徴とする生体情報計測装置のカップリング材。
【請求項７】
前記材料は、少なくとも４００〜２５００ｎｍの波長領域における光の透過率が９０％以上であることを特徴とする請求項６に記載の生体情報計測装置のカップリング材。
【請求項８】
前記材料は、少なくとも１０〜４５℃の温度範囲における熱伝導率が１．０ｍＷ／ｃｍ／℃以上であることを特徴とする請求項６に記載の生体情報計測装置のカップリング材。
【請求項９】
前記材料は、シリコーンであることを特徴とする請求項６に記載の生体情報計測装置のカップリング材。
【請求項１０】
前記材料は、ポリジメチルシロキサンであることを特徴とする請求項６に記載の生体情報計測装置のカップリング材。
【請求項１１】
前記材料の一方の面には、粘着剤が塗布されていることを特徴とする請求項６に記載の生体情報計測装置のカップリング材。
【発明の詳細な説明】
【技術分野】
【０００１】
本発明は、健康管理、疾病の診断や治療、美容などのために、血液、生体組織細胞内外の体液中の物質濃度、生体組織の光物性情報などを光学的に測定する生体情報計測装置及びそのカップリング材に係り、特に可視光、近赤外光、中間赤外光などを用いて、生体内の血中成分濃度、ガス濃度、生体組織の変性に関する情報を非侵襲的に測定する生体情報計測装置及びそのカップリング材に関する。
【背景技術】
【０００２】
被検体内に存在する物質の成分や濃度を測定するための代表的な従来装置としては、血液中、若しくは体液中のグルコース濃度（血糖値）を測定する血糖計がある。現在、広く用いられている血糖計は、被検体の指や腕などの部位の一部に針を刺して採取した少量の血液サンプルを利用するもので、この血液中のグルコースを化学反応させてその濃度を測定する。
【０００３】
そして、最も一般的なグルコース濃度の計測法としては、酵素電極を用いた方法がある。グルコース検知に使用される酵素としては、例えばグルコースオキシダーゼ（ＧＯＤ）がある。この酵素を高分子膜などに固定化しておき、被検体物質中のグルコースがそのＧＯＤ固定化膜に接触することによって酸素が消費され、この酸素の変化を捕らえることでグルコース濃度を測定することができる。このような採血式の血糖計は、携帯可能な大きさであり、糖尿病患者の血糖値の管理に利用されている。
【０００４】
しかしながら、上記方法では採血のために指や腕などの一部に針を刺す必要があり、被検体の皮膚を損傷すると共に苦痛を伴う。そのため、糖尿病患者の血糖値を厳密に管理するためには、一日に５、６回以上の測定が望ましいにもかかわらず、被検体への負荷を考慮して現状では一日に２、３回程度の測定回数に留まっている。
【０００５】
一方、グルコース等の被検体内に存在する物質の成分や濃度を、採血や細胞間質液の抽出を必要とせずに非侵襲に測定する生体情報計測装置が知られている。この生体情報計測装置は、被検体の皮膚表面などに異なる複数の波長の近赤外光を照射し、それらの検出信号を演算処理することにより、被検体内に存在する物質の成分や濃度を測定するものである。
【０００６】
上記の生体情報計測装置では、被検体の皮膚表面に照射する光の照射位置と、被検体内を拡散、透過、若しくは反射した光を受光する受光位置が空間的に異なる複数の受光部を備えた照射・受光部を設け、その照射・受光部を構成している複数の光ファイバを被検体の被測定部位表面に直接接触させて測定が行われる（例えば、特許文献１参照。）。
【０００７】
また、生体情報計測装置においては、照射・受光部と被検体の接触面の光学的特性を良くする方法として、被検体の皮膚表面と照射・受光部の光ファイバの屈折率に近い屈折率を有するシリコーンオイルなどのカップリング剤を被検体の皮膚表面に塗布して、その上に照射・受光部を接触させて測定する方法が提案されている（例えば、特許文献２参照。）。
【特許文献１】特表２００２−５１５２７７号公報
【特許文献２】特表２００３−５２４４６７号公報
【発明の開示】
【発明が解決しようとする課題】
【０００８】
しかしながら、被検体の皮膚表面にシリコーンオイルなどのカップリング剤を塗布した場合、被測定部位の温度制御のための加温や冷却によってシリコーンオイルを塗布した部位に気泡が発生し、照射・受光部から照射される光や、被検体内を拡散、透過、若しくは反射した光がその気泡によって妨げられ、正確な測定結果が得られない問題がある。
【０００９】
また、シリコーンオイルの塗り斑などが生じた場合、気づかずにシリコーンオイルが不足した皮膚表面に照射・受光部を接触させて測定する恐れがあり、その接触面では光学特性が低下して、正確な測定結果が得られない問題がある。
【００１０】
更に、被検体毎に照射・受光部の洗浄や消毒、及び被検体に付着したシリコーンオイルなどの拭き取り作業の手間がかかる問題がある。
【００１１】
本発明は、上記問題点を解決するためになされたもので、被検体の血液、生体組織細胞内外の体液中の物質濃度、生体組織の光物性情報などを光学的に精度良く測定して、正確な被検体の生体内の血中成分濃度、ガス濃度などの定量分析、或いは生体組織の変性に関する定性分析を行うことができる生体情報計測装置及びそのカップリング材を提供することを目的とする。
【課題を解決するための手段】
【００１２】
上記問題を解決するために、請求項１に係る本発明の生体情報計測装置は、被検体に光を照射する照射手段と、前記被検体内を拡散、透過、若しくは反射した光を受光する受光手段とを備え、前記被検体に関する生体情報を非侵襲的に計測する生体情報計測装置において、前記被検体に接触させる前記照射手段及び前記受光手段の面には、前記光を所定の角度に屈折させて透過させるカップリング材が設けられていることを特徴とする。
【００１３】
また、請求項６に係る本発明の生体情報計測装置のカップリング材は、少なくとも４００〜２５００ｎｍの波長領域における光の屈折率が１．３８〜１．５０の範囲からなる材料で薄膜状に形成されていることを特徴とする。
【発明の効果】
【００１４】
本発明によれば、被検体の皮膚表面に接触する照射・受光部の接触面にカップリング材を設けることにより、気泡に妨げられることなく照射・受光部から被検体に光を照射すると共に、被検体内を拡散、散乱、若しくは反射した光を受光できるようになり被検体の生体情報の測定精度の向上を図ることができる。
【００１５】
また、被検体毎に被測定部位にカップリング材を貼り付けて、そのカップリング材に照射・受光部を接触させて測定し、測定後に使用したカップリング材を廃棄することにより被検体毎の照射・受光部の洗浄や消毒、被検体に付着したシリコーンオイルなどの拭き取り作業の手間を省くことができる。
【発明を実施するための最良の形態】
【００１６】
以下、本発明の実施例を、図面を参照して説明する。
【実施例１】
【００１７】
以下に、本発明に係る生体情報計測装置の実施例１を、図１乃至図３を参照して説明する。
【００１８】
図１は、実施例１に係る生体情報計測装置の構成を示したブロック図である。この生体情報計測装置１０は、被検体Ｐに光を照射すると共に、被検体Ｐ内を拡散、透過、若しくは反射した光を受光した後、電気信号に変換する光学部１と、光学部１から出力した信号を処理してデータを生成する処理部２と、処理部２において生成されたデータを表示する表示部３とを備えている。
【００１９】
また、生体情報計測装置１０は、被検体Ｐの情報や各種コマンド信号を入力する操作部４と、被検体Ｐの被測定部位の温度を制御する温度制御部５と、光学部１及び温度制御部５を保持するインターフェース部６と、上述の各ユニットを制御する制御部７とを備えている。
【００２０】
光学部１は、単色光あるいはそれに近い光を発生させる半導体レーザや発光ダイオード等の複数の小型発光素子で構成される光源部１１と、光源部１１で発光した一つ若しくは複数の小型発光素子からの光を合波して同一光軸に重ね合わせる合波部１２と、合波部１２から出力された光を被検体Ｐの被測定部位へ照射すると共に、その照射され被検体Ｐ内を拡散、透過、若しくは反射した光を複数の異なる位置から受光する照射・受光部１３とを備えている。
【００２１】
また、光学部１は、照射・受光部１３からの受光した光を検出して電気信号に変換する光検出部１４と、光検出部１４により電気信号に変換された微弱な信号を所定の信号レベルに増幅する信号増幅部１５とを備えている。
【００２２】
そして、グルコース濃度は、４００ｎｍ〜２５００ｎｍの領域における波長を用いて測定が行われ、ヘモグロビン濃度は、ヘモグロビンの濃度に依存して変化する５００ｎｍ〜１６００ｎｍの領域における波長を用いて測定が行われる。
【００２３】
処理部２は、光学部１の信号増幅部１５から出力された信号をアナログ／デジタルコンバータにより変換した後、データ収集するデータ収集部２１と、データ収集部２１において生成されたデータを処理して被検体Ｐの体内に存在する物質の成分や濃度、あるいは被検体組織の変性に関する情報などの生体情報を算出するデータ処理部２２と、データ処理部２２において算出された生体情報を保存するデータ記憶部２３とを備えている。
【００２４】
なお、処理部２のデータ処理部２２には、予め被検体Ｐ或いは複数の被験者群から生体情報計測装置１０と標準的な手法の測定から得られたデータが統計的に解析され、その統計的解析により数学モデル化された両者間の相関式の演算プログラムが格納されている。そして、被検体Ｐの生体情報は、この演算プログラムを用いて算出される。
【００２５】
表示部３は、ＣＲＴや液晶パネルなどのモニタを備え、処理部２のデータ処理部２２で算出された生体情報や、処理部２のデータ記憶部２３から読み出された生体情報を表示する。
【００２６】
なお、前記生体情報は、上記に述べた表示部３への表示以外にも、表示灯による点灯を利用した視覚伝達手段、音声による聴覚を利用した聴覚伝達手段、あるいはインターフェース部６近傍にバイブレータ駆動部を設置し、その振動を利用した振動伝達手段によっても伝達可能である。更には、それら複数の手段を併用することも可能である。
【００２７】
操作部４は、操作パネル上にキーボード、マウス、ボタン、タッチキーパネル、音声入力のためのマイクなどの入力デバイスを備え、被検体Ｐの情報の入力、処理部２のデータ記憶部２３に保存されている様々な生体情報の出力操作などが行われる。
【００２８】
温度制御部５は、被検体Ｐの被測定部位に対して加温或いは冷却を行うペルチェ素子などの加温・冷却部５１と、被測定部位近傍の温度を測定する熱電対やサーミスタなどの温度センサ５２と、温度センサ５２からの検出信号に基づいて加温・冷却部５１を制御する温度制御回路５３とを備えている。
【００２９】
制御部７は、操作部４からの入力信号に基づいて、光学部１、処理部２、表示部３、温度制御部５などの各ユニットの制御、システム全体の制御を統括して行う。
次に、図２及び図３を参照して、光学部１の照射・受光部１３の構成の詳細を説明する。
【００３０】
図２は、照射・受光部１３の詳細な構成を示した図である。この照射・受光部１３は、光学部１の合波部１２から出力された光を被検体Ｐに照射する照射用光ファイバ１３１と、被検体Ｐからの光を受光する受光用光ファイバ１３３と、照射用光ファイバ１３１及び受光用光ファイバ１３３の先端部に設けられ、照射・受光部１３から被検体Ｐへの光、及び被検体Ｐから照射・受光部１３への光を所定の角度に屈折させて透過させるカップリング材１３２とを備えている。
【００３１】
また、照射・受光部１３の先端部は、照射用ファイバ１３１及び受光用ファイバ１３３を保持する保持部１３４と、カップリング材１３２を固定するためのホルダー１３５とを備えている。
【００３２】
照射用光ファイバ１３１は、屈折率が１．５程度の特性を有する石英、プラスティックなどの光ファイバ材料からなり、保持部１３４内に保持され、光学部１の合波部１２に接続されている。
【００３３】
次に、受光用ファイバ１３３を、図３を参照して説明する。図３は、図２の照射・受光部１３の被検体Ｐに接触させる面の一例を示した図である。受光用光ファイバ１３３は、照射用光ファイバ１３１と同様の材質の光ファイバ材料からなり、破線で示した複数の受光用ファイバ１３３ａ乃至１３３ｄから構成されている。
【００３４】
この受光用光ファイバ１３３の受光用光ファイバ１３３ａ乃至１３３ｄの先端部は、保持部１３４内に保持されると共に、光学部１の光検出部１４に接続されており、夫々破線で示した面から入射した光を光検出部１４へ出力する。
【００３５】
図２に戻り、カップリング材１３２は、照射用光ファイバ１３１及び受光用ファイバ１３３の端面と保持部１３４から構成される光照射・受光面１３６と同じ形状を有し、人体に無害で、被検体Ｐの皮膚表面及び光照射・受光面１３６への密着性や、柔軟性に優れたシリコーンゴムなどのシリコーン、ポリジメチルシロキサン等の材料から例えば膜厚が１０〜５００μｍの薄膜状に形成されている。
【００３６】
また、カップリング材１３２は、照射・受光部１３と被検体Ｐの皮膚表面間の光学的特性を良くするために、生体情報計測装置１０で使用する４００〜２５００ｎｍの波長域において、被検体Ｐの皮膚表面の屈折率１．３８〜１．４０と、照射用光ファイバ１３１及び受光用光ファイバ１３３の屈折率１．５０の間になるような、１．３８〜１．５０の屈折率特性を有している。
【００３７】
また、カップリング材１３２は、照射用光ファイバ１３１からの光を透過させて被検体Ｐに当てると共に、被検体Ｐからの光を透過させて、受光用ファイバ１３３に接続される光検出部１４で十分なＳ／Ｎを確保できるように、生体情報計測装置１０で使用する４００〜２５００ｎｍの波長域において、９０％以上の透過率特性を有している。
【００３８】
更に、カップリング材１３２は、加温時に保持部１３４から供給される熱を被検体Ｐの被測定部位に伝達し、また冷却時に被検体Ｐの皮膚表面の熱を保持部１３４に伝達できるように、生体情報計測装置１０で使用される１０〜４５℃において１．０ｍＷ／ｃｍ／℃以上の熱伝導率特性を有している。
【００３９】
なお、カップリング材１３２の材料としては、上述の特性を有し、被検体Ｐに無害で且つ柔軟性のあるフッ素化合物、ポリヒドロキシエチルメタクリレート、ポリビニルピロリドン、アクリルゴム、ポリメチルメタクリレート、ポリカーボネート、ポリアリレートなども使用できる。
【００４０】
保持部１３４は、アルミニウムなどの熱伝導性の高い材料からなり、照射用光ファイバ１３１、受光用光ファイバ１３３、カップリング材１３２、及びホルダー１３５を保持する。また、保持部１３４は、加温時には温度制御部５から伝達された熱をカップリング材１３２を介して被検体Ｐの被測定部位に伝達し、冷却時には被検体Ｐの被測定部位の熱をカップリング材１３２を介して吸収して温度制御部５へ伝達する。
【００４１】
次に、照射・受光部１３における光の伝搬を図２に示した実線及び破線で示した矢印を参照して説明する。
【００４２】
合波部１２から出力された光は、実線の矢印で示した照射光として照射・受光部１３の照射用光ファイバ１３１からカップリング材１３２を介して被検体Ｐの皮膚表面に照射される。そして、被検体Ｐの皮膚表面に照射された光は、例えば、グルコース濃度やヘモグロビン濃度を真皮中の生体情報から求める場合、被検体Ｐ内の主に表皮から真皮にかけて侵入する。
【００４３】
その過程で、照射・受光部１３のカップリング材１３２を介して、被検体Ｐ内の斜線で示した真皮中の範囲Ｐａにおいて拡散、透過、若しくは反射した光を、照射用光ファイバ１３１と受光用ファイバ１３３間の距離が約１〜２ｍｍに配置された受光用ファイバ１３３の受光用光ファイバ１３３ａ乃至１３３ｄに入射する。そして、受光用光ファイバ１３３ａ乃至１３３ｄから入射した入射光は、光検出部１４に出力され、処理部２において被検体Ｐの生体情報が収集される。
【００４４】
ここで、計測に必要とされる波長域を考慮した上で、前述の通り範囲Ｐａから拡散、透過、若しくは反射した光を受光するように適切な間隔に配置する必要がある。例えば、受光用ファイバ１３３を図示の位置よりも１ピッチほど照射用光ファイバ１３１から離れた位置に配置した場合、その位置における受光用ファイバ１３３は、被検体Ｐ内の皮下組織において拡散、透過、若しくは反射した光Ｌを受光してしまう。これでは、皮下組織からの不要な信号が含まれ真皮からの信号を正しく検出できなくなる恐れがあるので、照射用光ファイバ１３１と受光用ファイバ１３３の各ファイバの間隔を適切に配置する必要がある。
【００４５】
なお、上記説明はグルコース濃度やヘモグロビン濃度を真皮中の生体情報から求める場合の一例であるが、被検体Ｐ内の真皮以外の層から生体情報を求める場合もあり得る。その場合は、その計測項目に合わせて照射用光ファイバ１３１と受光用ファイバ１３３の間隔をその層に応じた適切な位置に配置する必要がある。
【００４６】
ところで、被検体Ｐの真皮には、血管、神経、汗腺、体毛等の組織があり、これらの組織の一部を光が通過するため、例えば血管内を流れる血液の拍動の影響で信号が変動し、データ収集部２１において収集される信号変動レベルが所定の範囲から外れることがある。このような場合、信号変動レベルが所定の範囲に入り、安定した信号を検出することができる最適な位置へ照射・受光部１３を移動させることにより、被検体Ｐの生体情報を測定することができる。
【００４７】
このように、実施例１に係る生体情報計測装置１０によれば、被検体Ｐに接触させる照射・受光部１３の面に、その面と被検体Ｐの皮膚表面の密着性に優れ、皮膚表面の屈折率と照射・受光部１３に用いられる光ファイバ１３１の屈折率に近い屈折率特性を有する光透過性のカップリング材１３２を設けることにより、被検体Ｐの生体情報の測定精度の向上を図ることができる。
【００４８】
また、カップリング材１３２に熱伝導性の高い材料を用いることで、被検体Ｐの被測定部位の温度を精度よく制御できる。
【００４９】
また、被検体Ｐの被測定部位が適切でない場合、照射・受光部１３を安定した信号が得られる被測定部位に移動させるだけの簡単な操作で、被検体Ｐの生体情報を精度よく測定することができる。
【００５０】
更に、被検体Ｐからカップリング剤を拭き取る作業の手間を省くことができる。
【実施例２】
【００５１】
以下に、本発明に係る生体情報計測装置のカップリング材の実施例２を、図４乃至図７を参照して説明する。
【００５２】
図４は、実施例２に係るカップリング材の断面を示した図である。図４に示した実施例２が、図２の実施例１の照射・受光部１３におけるカップリング材１３２と異なる点は、カップリング材１３２よりも大きな面を有している点と、一方の面に粘着剤が塗布されている点である。
【００５３】
実施例２に係るカップリング材１３２ａは、薄膜状の支持体１３２ｂと、この支持体１３２ｂの一方の面に形成された粘着剤１３２ｃから構成され、生体情報計測装置１０ａの照射・受光部１３ａにおける光照射・受光面１３６よりも大きな面を有している。なお、カップリング材１３２ａの支持体１３２ｂの材料及び特性は、図２で説明したカップリング材１３２と同様なので説明を省略する。
【００５４】
なお、生体情報計測装置１０ａは、図１の実施例１の生体情報計測装置１０の図２に示した照射・受光部１３からカップリング材１３２及びホルダー１３５を除いた照射・受光部１３ａを備え、照射・受光部１３ａ以外の構成は生体情報計測装置１０と同様である。
【００５５】
粘着剤１３２ｃは、人体の皮膚に刺激を与えない安全な材料で且つ光の直進性を妨げない材料からなり、支持体１３２ｂの一方の全面に塗布されている。また、粘着剤１３２ｃは、皮膚粘着性があり人体の体表から再剥離容易な特性を有している。
【００５６】
図５（ａ）は、カップリング材１３２ａを、生体情報計測装置１０ａの照射・受光部１３ａにおける光照射・受光面１３６と同じ形状で、光照射・受光面１３６よりも大きな面になるように形成されたカップリング材を示した図である。複数のカップリング材１３２ｄが、剥離ライナー１３２ｅに剥離可能に貼り付けられている。
【００５７】
図５（ｂ）は、カップリング材１３２ａを、剥離ライナー１３２ｅと同じ形状で、剥離ライナー１３２ｅよりも小さな面になるように形成されたカップリング材を示した図である。このカップリング材１３２ｆは、剥離ライナー１３２ｅに剥離可能に貼り付けられている。
【００５８】
次に、図６及び図７を参照してカップリング材１３２ｄ及び１３２ｆの使用例について説明する。
【００５９】
図６は、カップリング材１３２ｄの使用例を示した図である。例えば、被検体Ｐの被測定部位が指の腹側の場合、カップリング材１３２ｄは、指の腹側の皮膚表面に粘着剤１３２ｃ側の面を向けて貼り付けられる。
【００６０】
そして、そのカップリング材１３２ｄの粘着剤１３２ｃ側とは反対側の面に、生体情報計測装置１０ａの照射・受光部１３ａにおける光照射・受光面１３６を接触させて、被検体Ｐのグルコース濃度などの生体情報の測定が行われ、測定終了後に測定に使用されたカップリング材１３２ｄは被測定部位から剥がして廃棄される。
【００６１】
図７は、図５（ｂ）に示したカップリング材１３２ｆの使用例を示した図である。例えば、被検体Ｐの被測定部位が腕部等で、しかも生体情報計測装置１０ａの照射・受光部１３ａを接触させる部位により信号変動レベルが所定の範囲から外れる可能性がある場合、カップリング材１３２ｆは、例えばその被測定部位よりも大きめにカットされる。
【００６２】
次いで、そのカップリング材１３２ｆを剥離ライナー１３２ｅから剥がして、被検体Ｐの被測定部位を覆うように粘着剤１３２ｃの面を向けて被検体Ｐの皮膚表面に貼り付けた状態で、図６と同様に生体情報計測装置１０ａによる測定が行われる。
【００６３】
そして、生体情報計測装置１０ａの信号変動レベルが所定の範囲から外れた場合、照射・受光部１３ａをカップリング材１３２ｆの粘着剤１３２ｃ側とは反対側の面上を移動させて、信号変動レベルが所定の範囲に入る部位で測定が行われ、測定に使用されたカップリング材１３２ｆは被測定部位から剥がして廃棄される。
【００６４】
この実施例２に係るカップリング材によれば、被検体Ｐに接触させる生体情報計測装置１０ａの照射・受光部１３ａの面と被検体Ｐの皮膚表面の密着性に優れ、皮膚表面の屈折率と照射・受光部１３ａに用いられる光ファイバの屈折率に近い屈折率特性を有する光透過性のカップリング材１３２ｄ或いはｆを被検体Ｐの被測定部位に貼り付けて、そのカップリング材１３２ｄに照射・受光部１３ａを接触させて測定することにより、被検体Ｐの生体情報の測定精度の向上を図ることができる。
【００６５】
また、被検体Ｐの被測定部位が適切でない場合、任意の大きさにカッティング可能なカップリング材１３２ｆを使用して、被測定部位の広範囲に貼り付けることにより、照射・受光部１３ａを安定した信号が得られる被測定部位に移動させるだけの簡単な操作で、被検体Ｐの生体情報を精度よく測定することができる。
【００６６】
また、一面に人体の皮膚に刺激を与えない粘着剤１３２を塗布することにより、被検体Ｐの被測定部位への貼り付けを安全に且つ容易に行うことができる。
【００６７】
また、熱伝導性の高い材料を用いることで、被検体Ｐの被測定部位における温度制御を容易に行うことができる。
【００６８】
更に、被検体毎に測定に使用したカップリング材１３２ｄ或いはｆを廃棄することにより、被検体Ｐとの間に必要な照射・受光部１３ａの洗浄や消毒、被検体Ｐからカップリング剤を拭き取る作業の手間を省くことができる。
【図面の簡単な説明】
【００６９】
【図１】本発明に係る生体情報計測装置の実施例１の構成を示すブロック図。
【図２】本発明の実施例１に係る照射・受光部の構成を示す図。
【図３】本発明の実施例１に係る照射・受光部の被検体と接触する面を示す図。
【図４】本発明の実施例２に係るカップリング材の構成を示す図。
【図５】本発明の実施例２に係る剥離ライナーに貼り付けたカップリング材の形状の一例を示す図。
【図６】本発明の実施例２に係るカップリング材の使用例を示す図。
【図７】本発明の実施例２に係るカップリング材の使用例を示す図。
【符号の説明】
【００７０】
Ｐ  被検体
１  光学部
５  温度制御部
１０  生体情報計測装置
１１  光源部
１２  合波部
１３  照射・受光部
１４  光検出部
１５  信号増幅部
１３１  照射用光ファイバ
１３２、１３２ａ、１３２ｄ、１３２ｆ  カップリング材
１３３、１３３ａ、１３３ｂ、１３３ｃ、１３３ｄ  受光用光ファイバ
１３４  保持部
１３５  ホルダー
【図１】
2006198041.tif 000003
【図２】
2006198041.tif 000004
【図３】
2006198041.tif 000005
【図４】
2006198041.tif 000006
【図５】
2006198041.tif 000007
【図６】
2006198041.tif 000008
【図７】
2006198041.tif 000009